(57)【特許請求の範囲】
【請求項１】
正多角形状のマット本体の各辺に、互いに連結可能な形状を有する雄連結部と雌連結部とを設けるとともに、該雄連結部と雌連結部とを、各辺の垂直二等分線を対称軸とした線対称位置にそれぞれ設けた芝生保護マットにおいて、前記雄連結部は、マット本体に接続する接続部と、該接続部の先端に設けられた係合凸部とを有し、前記雌連結部は、前記接続部が上下方向に挿通可能なスリット部と、前記雄連結部の係合凸部が嵌入する上下が開口した係合溝部とを有しており、前記係合凸部と係合溝部とには、互いに係合して雌連結部からの雄連結部の抜けを防止する係合部が設けられていることを特徴とする芝生保護マット。
【請求項２】
前記係合部は、前記接続部４１の先端から二股に分岐した一対の弾性片の内の一方の弾性片の下端部と他方の弾性片の上端部にそれぞれ設けた係合突起と、前記係合溝部５２の両側壁５３，５４の内の一方の側壁の下端部と他方の側壁の上端部にそれぞれ設けた係合段部とからなり、芝生保護マットを連結したときに、前記下端部の係合突起と係合段部とが係合し、前記上端部の係合突起と係合段部とが係合するものであることを特徴とする請求項１記載の芝生保護マット。
【発明の詳細な説明】
【０００１】
【発明の属する技術分野】
本発明は、芝生保護マットに関し、詳しくは、合成樹脂により形成された芝生保護マットであって、多数個のマットを連結して芝生植生地に敷設される芝生保護マットに関する。
【０００２】
【従来の技術】
従来から、ゴルフ場等の芝生植生地において、芝生を保護するために多数の突起部を適当な間隔で形成した芝生保護材が用いられている。この芝生保護材として、適当な大きさの正多角形状の板状のマットを多数個連結して使用する芝生保護マットが広く用いられている（登録意匠第７０６５２０号等）。
【０００３】
【発明が解決しようとする課題】
しかし、従来の芝生保護マットは、マット同士の連結に方向性があり、また、連結部も一方向からしか連結できない構造のため、芝生保護マットを敷設する際には、その方向を確認しながら行う必要があり、連結する順序も考慮しながら作業する必要があった。また、間違えて連結してしまった場合の取り外しも面倒であった。さらに、連結部の取り外しに方向性があるため、中央部に敷設されている１枚の芝生保護マットのみを取り外すことが極めて面倒であり、周囲に連結されているマットを持ち上げたりして行う必要があった。
【０００４】
そこで本発明は、連結作業を容易に行えるとともに、取り外しも容易に行うことができる芝生保護マットを提供することを目的としている。
【０００５】
【課題を解決するための手段】
上記目的を達成するため、本発明の芝生保護マットは、正多角形状のマット本体の各辺に、互いに連結可能な形状を有する雄連結部と雌連結部とを設けるとともに、該雄連結部と雌連結部とを、各辺の垂直二等分線を対称軸とした線対称位置にそれぞれ設けた芝生保護マットにおいて、前記雄連結部は、マット本体に接続する接続部と、該接続部の先端に設けられた係合凸部とを有し、前記雌連結部は、前記接続部が上下方向に挿通可能なスリット部と、前記雄連結部の係合凸部が嵌入する上下が開口した係合溝部とを有しており、前記係合凸部と係合溝部とには、互いに係合して雌連結部からの雄連結部の抜けを防止する係合部が設けられていることを特徴としている。
【０００６】
さらに、本発明の前記係合部は、前記接続部４１の先端から二股に分岐した一対の弾性片の内の一方の弾性片の下端部と他方の弾性片の上端部にそれぞれ設けた係合突起と、前記係合溝部５２の両側壁５３，５４の内の一方の側壁の下端部と他方の側壁の上端部にそれぞれ設けた係合段部とからなり、芝生保護マットを連結したときに、前記下端部の係合突起と係合段部とが係合し、前記上端部の係合突起と係合段部とが係合するものであることを特徴としている。
【０００７】
【発明の実施の形態】
図１は、本発明の芝生保護マットの一例を示す一部を省略した平面図、図２は要部の平面図、図３は要部の一部断面正面図、図４は要部の側面図である。この芝生保護マットは、中空四角錘台状の突起１を、連結片２を介して縦方向及び横方向に等間隔で同数配置した正方形状のマット本体３と、該マット本体３の各辺にそれぞれ設けられた雄連結部４と、該雄連結部４に連結可能な形状の雌連結部５とにより形成されている。
【０００８】
上記雄連結部４と雌連結部５とは、各辺の垂直二等分線Ｖを対称軸とした線対称位置にそれぞれ対応して一方に雄連結部４が、その対称位置に雌連結部５が位置するように設けられており、各辺とも同じ状態で雄連結部４と雌連結部５とが配置されている。また、マット本体３の中心点Ｏに対しては点対称となるように配置されている。
【０００９】
すなわち、芝生保護マット同士を連結する際に、任意の一辺同士を対向させると、一方の芝生保護マットの雄連結部４に対応して他方の芝生保護マットの雌連結部５が位置するように形成されている。したがって、マット同士の連結に方向性が無くなるため、芝生保護マットを敷設する際にマットの方向を気にせずに連結作業を行うことができ、作業性を大幅に向上させることができる。
【００１０】
また、図２乃至図４に示すように、前記雄連結部４は、マット本体３に接続する接続部４１と、該接続部４１の先端に設けられた係合凸部４２とを有しており、前記雌連結部５は、前記雄連結部４の接続部４１が上下方向に挿通可能なスリット部５１と、前記雄連結部４の係合凸部４２が嵌入する上下が開口した係合溝部５２とを有している。
【００１１】
前記係合凸部４２は、接続部４１の先端から二股に分岐した一対の弾性片４３，４４を有しており、一方の弾性片４３には下端部に係合突起４５が設けられ、他方の弾性片４４には上端部に係合突起４６が設けられている。一方、前記係合溝部５２の両側壁５３，５４には、前記弾性片４３，４４の係合突起４５，４６が係合する係合段部５５，５６がそれぞれ切欠き形成されており、芝生保護マットを連結したときに、弾性片４３の下端部に設けた係合突起４５が側壁５３の下部に設けた係合段部５５に係合し、弾性片４４の上端部に設けた係合突起４６が側壁５４の上部に設けた係合段部５６に係合するように形成されている。
【００１２】
したがって、係合突起４５と係合段部５５との係合により、雌連結部５から雄連結部４が上方へ抜けることが防止されるとともに、係合突起４６と係合段部５６との係合により、雄連結部４が雌連結部５の下方へ抜けることが防止され、係合凸部４２より幅狭の接続部４１が係合溝部５２より幅狭のスリット部５１に挿入されて水平方向への抜けも防止されるので、隣接する芝生保護マット同士が確実に連結された状態となる。
【００１３】
また、雄連結部４を接続部４１と係合凸部４２とで形成するとともに、雌連結部５をスリット部５１と係合溝部５２とで形成し、雌連結部５に対して雄連結部４を上下いずれの方向からでも嵌入させることができる構造としたので、芝生保護マット同士の連結作業を容易に行うことができる。
【００１４】
また、敷設後の芝生保護マットの取り外しは、雄連結部４の係合突起４５，４６のいずれか一方を内方に押圧変形させて係合段部５５，５６との係合状態を解除することにより簡単に行うことができる。また、取り外しの方向性も無いため、中央部に敷設されている芝生保護マットも簡単に取り外すことが可能となり、損傷時の交換も容易に行うことができる。
【００１５】
図５以下は、連結部の構造の他の形状例を示すものであって、図５は雄連結部の第１変形例を示す正面図である。図６及び図７は雄連結部及び雌連結部の第２変形例を示すもので、図６は分解斜視図、図７は連結状態を示す断面図である。図８及び図９は雄連結部及び雌連結部の第３変形例を示すもので、図８は連結状態を示す平面図、図９は同じく断面図である。図１０乃至図１３は雄連結部及び雌連結部の第４変形例を示すもので、図１０は分解斜視図、図１１は雄連結部の平面図、図１２は同じく正面図、図１３は連結状態を示す断面図である。図１４及び図１５は雄連結部の第４変形例を示すもので、図１４は雄連結部の平面図、図１５は同じく正面図である。さらに、図１６は雄連結部の第５変形例を示す斜視図、図１７は雄連結部の第６変形例を示す斜視図である。
【００１６】
まず、図５に示す雄連結部４ａは、前記同様に形成されている弾性片４３ａ，４４ａの係合突起４５ａ，４６ａ部分を雌連結部５ａより突出するように上下に延長したものである。このように係合突起４５ａ，４６ａ部分を上下に延長することにより、芝生保護マットを取り外す際の係合突起４５，４６の係合解除を、この延長部を利用して行うことができるので、取り外し作業をより容易に行えるようになる。
【００１７】
図６及び図７に示す連結構造は、雄連結部４ｂの係合凸部４２ｂを、雌連結部５ｂの係合溝部５２ｂの内部形状に合わせた中実形状としたものであり、図８及び図９に示す連結構造は、雄連結部４ｃの係合凸部４２ｃの幅を、雌連結部５ｃの係合溝部５２ｃの幅より狭く形成したものである。
【００１８】
図１０乃至図１３に示す連結構造は、雄連結部４ｄの弾性片４３ｄ，４４ｄを、接続部４１ｄの延長部を含むＵ字状に形成し、その先端部に係合突起４５ｄ，４６ｄをそれぞれ設けたものである。また、雌連結部５ｄの係合溝部５２ｄには、両側壁５３ｄ，５４ｄの端部を外方に屈曲させた形状の係合段部５５ｄ，５６ｄが設けられている。このように弾性片４３ｄ，４４ｄを形成することにより、係合突起４５ｄ，４６ｄの係脱方向に大きなばね性を持たせることができるので、雌連結部５ｄとの係合力を高めることができるとともに、係合段部５５ｄ，５６ｄとの係合状態の解除も容易に行うことができる。
【００１９】
図１４及び図１５に示す連結構造は、雄連結部４ｅの弾性片４３ｅ，４４ｅを、接続部４１ｅの延長部の上下方向中間部に設けた支持片４７ｅにより支持したものであり、図１６に示す雄連結部４ｆは、接続部４１ｆの延長部の適当な高さ位置から両方向に支持片４７ｆを突設し、その先端部に係合突起４５ｆ，４６ｆを有する弾性片４３ｆ，４４ｆをそれぞれ設けたものである。また、図１７に示す連結構造は、雄連結部４ｇの係合凸部４２ｇを角筒状に形成し、筒側壁に２本のスリット４８ｇを設けることによって弾性片４３ｇ，４４ｇを弾性変形可能に形成したものである。
【００２０】
これらの連結構造は、芝生保護マットの大きさや材質、連結部の強度等を考慮して選択すればよく、連結部の数も任意であり、一つの芝生保護マットの両端部と中間部とに異なる連結構造を採用することも可能である。なお、マット本体の形状は、前記形態例に限定されるものではなく、その外形も正方形に限らず、正三角形や正六角形であってもよく、長方形状にも適用が可能である。
【００２１】
【発明の効果】
以上説明したように、本発明の芝生保護マットによれば、マット敷設時の連結作業を容易に行うことができ、取り外しも簡単に行うことができる。
【図面の簡単な説明】
【図１】本発明の芝生保護マットの一例を示す一部を省略した平面図である。
【図２】要部の平面図である。
【図３】要部の一部断面正面図である。
【図４】要部の側面図である。
【図５】雄連結部の第１変形例を示す正面図である。
【図６】雄連結部及び雌連結部の第２変形例を示す分解斜視図である。
【図７】連結状態を示す断面図である。
【図８】雄連結部及び雌連結部の第３変形例を示す平面図である。
【図９】同じく断面図である。
【図１０】雄連結部及び雌連結部の第４変形例を示す分解斜視図である。
【図１１】雄連結部の平面図である。
【図１２】同じく正面図である。
【図１３】連結状態を示す断面図である。
【図１４】雄連結部の第４変形例を示す平面図である。
【図１５】同じく正面図である。
【図１６】雄連結部の第５変形例を示す斜視図である。
【図１７】雄連結部の第６変形例を示す斜視図である。
【符号の説明】
１…突起、２…連結片、３…マット本体、４…雄連結部、４１…接続部、４２…係合凸部、４３，４４…弾性片、４５，４６…係合突起、５…雌連結部、５１…スリット部、５２…係合溝部、５３，５４…側壁、５５，５６…係合段部、Ｏ…中心点、Ｖ…垂直二等分線
【図１】
0003619945.tif 000002
【図２】
0003619945.tif 000003
【図３】
0003619945.tif 000004
【図４】
0003619945.tif 000005
【図５】
0003619945.tif 000006
【図６】
0003619945.tif 000007
【図７】
0003619945.tif 000008
【図８】
0003619945.tif 000009
【図９】
0003619945.tif 000010
【図１０】
0003619945.tif 000011
【図１１】
0003619945.tif 000012
【図１２】
0003619945.tif 000013
【図１３】
0003619945.tif 000014
【図１４】
0003619945.tif 000015
【図１５】
0003619945.tif 000016
【図１６】
0003619945.tif 000017
【図１７】
0003619945.tif 000018